【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
複数の物理ストレージデバイスへのアクセスを提供するための方法であって、
複数のノードの個々のノード上で仮想コンピューティングインスタンスを実行することであって、個々のノードは、ハイパーバイザ、複数の物理ストレージデバイス、ランダムアクセスメモリ、コンピュータ処理ユニット、およびストレージ管理モジュールを含む、実行することと、
前記仮想コンピューティングインスタンスに対してデータストアのアブストラクションを露出することと、
ここで、前記データストアは、第１のノードに収容されたまたは直接に取り付けられた第１の物理ストレージデバイスと、第２のノードに収容されたまたは直接に取り付けられた第２の物理ストレージデバイスとを含む、複数のノードに収容されたまたは直接取り付けられた複数の物理ストレージデバイスにより支持され、
前記データストアは、前記複数の物理ストレージデバイスの前記第１の物理ストレージデバイスおよび前記第２の物理ストレージデバイスの両方により支持された格納されたデータを含み、
格納されたデータは、識別子を格納されたデータにマッピングすることにより格納され、
第１の指定ファイルシステムおよび第１の定義されたストレージポリシーに従って編成された第１の仮想ディスクの第１の表現の作成を可能にすることと、
第２の指定ファイルシステムおよび第２の定義されたストレージポリシーに従って編成された第２の仮想ディスクの第２の表現の作成を可能にすることと
を備える方法。
【請求項２】
前記第１の表現は、前記第１の指定ファイルシステムに従って編成された第１の名前空間を含む、請求項１に記載の方法。
【請求項３】
前記第２の表現は、前記第２の指定ファイルシステムに従って編成された第２の名前空間を含む、請求項２に記載の方法。
【請求項４】
前記第１の指定ファイルシステムは、前記第２の指定ファイルシステムと同じである、請求項１乃至３のいずれか１項に記載の方法。
【請求項５】
前記第１の指定ファイルシステムは、前記第２の指定ファイルシステムと異なる、請求項１乃至３のいずれか１項に記載の方法。
【請求項６】
前記複数のノードの個々のノードは、ホストコンピュータである、請求項１乃至５のいずれか１項に記載の方法。
【請求項７】
前記データストアは、オブジェクトストアである、請求項１乃至６のいずれか１項に記載の方法。
【請求項８】
前記データストアのアブストラクションを露出することは、グローバル名前空間を露出することを含む、請求項１乃至７のいずれか１項に記載の方法。
【請求項９】
前記データストアは、前記格納されたデータの一部に対応するメタデータを含み、前記メタデータは、前記複数の物理ストレージデバイス上の前記格納されたデータの一部の位置に関する情報を含む、請求項１乃至８のいずれか１項に記載の方法。
【請求項１０】
前記メタデータは、前記複数のノードの個々のノード上の前記仮想コンピューティングインスタンスによってのみ利用される、請求項９に記載の方法。
【請求項１１】
前記第１の指定ファイルシステムおよび前記第２の指定ファイルシステムの少なくとも１つは、クラスタ化ファイルシステムを含む、請求項１乃至１０のいずれか１項に記載の方法。
【請求項１２】
前記第１の仮想ディスクの前記第１の表現を自動マウントすることによって前記第１の仮想ディスクへのアクセスを提供することを含む、請求項１乃至１１のいずれか１項に記載の方法。
【請求項１３】
命令を格納する非一時的なコンピュータ可読記憶媒体であって、前記命令は、プロセッサ上で実行されるときに、請求項１乃至１２のいずれか１項に記載の複数の物理ストレージデバイスへのアクセスを提供する方法を実行する、非一時的なコンピュータ可読記憶媒体。
【請求項１４】
複数の物理ストレージデバイスへのアクセスを提供するためのシステムであって、
複数のノードであって、前記複数のノードの個々のノードは、ハイパーバイザ、複数の物理ストレージデバイス、ランダムアクセスメモリ、コンピュータ処理ユニット、およびストレージ管理モジュールを含む、前記複数のノードと、
前記複数のノードの個々のノード上で実行される仮想コンピューティングインスタンスとを備え、
前記ストレージ管理モジュールは、前記コンピュータ処理ユニット上で実行されるときに、前記複数の物理ストレージデバイスへのアクセスを提供するための方法を実行し、前記方法は、
前記仮想コンピューティングインスタンスに対してデータストアのアブストラクションを露出することと、
ここで、前記データストアは、第１のノードに収容されたまたは直接に取り付けられた第１の物理ストレージデバイスと、第２のノードに収容されたまたは直接に取り付けられた第２の物理ストレージデバイスとを含む、複数のノードに収容されたまたは直接取り付けられた複数の物理ストレージデバイスにより支持され、
前記データストアは、前記複数の物理ストレージデバイスの前記第１の物理ストレージデバイスおよび前記第２の物理ストレージデバイスの両方により支持された格納されたデータを含み、
格納されたデータは、識別子を格納されたデータにマッピングすることにより格納され、
第１の指定ファイルシステムおよび第１の定義されたストレージポリシーに従って編成された第１の仮想ディスクの第１の表現の作成を可能にすることと、
第２の指定ファイルシステムおよび第２の定義されたストレージポリシーに従って編成された第２の仮想ディスクの第２の表現の作成を可能にすることと
を含む、システム。
【請求項１５】
前記第１の表現は、前記第１の指定ファイルシステムに従って編成された第１の名前空間を含む、請求項１４に記載のシステム。
【請求項１６】
前記第２の表現は、前記第２の指定ファイルシステムに従って編成された第２の名前空間を含む、請求項１４または１５に記載のシステム。
【請求項１７】
前記第１の指定ファイルシステムは、前記第２の指定ファイルシステムと同じである、請求項１４乃至１６のいずれか１項に記載のシステム。
【請求項１８】
前記第１の指定ファイルシステムは、前記第２の指定ファイルシステムと異なる、請求項１４乃至１７のいずれか１項に記載のシステム。
【請求項１９】
前記複数のノードの個々のノードは、ホストコンピュータである、請求項１４乃至１８のいずれか１項に記載のシステム。
【請求項２０】
前記データストアは、オブジェクトストアである、請求項１４乃至１９のいずれか１項に記載のシステム。
【請求項２１】
前記データストアのアブストラクションを露出することは、グローバル名前空間を露出することを含む、請求項１４乃至２０のいずれか１項に記載のシステム。
【請求項２２】
前記データストアは、前記格納されたデータの一部に対応するメタデータを含み、前記メタデータは、前記複数の物理ストレージデバイス上の前記格納されたデータの一部の位置に関する情報を含む、請求項１４乃至２１のいずれか１項に記載のシステム。
【請求項２３】
前記メタデータは、前記複数のノードの個々のノード上の前記仮想コンピューティングインスタンスによってのみ利用される、請求項２２に記載のシステム。
【請求項２４】
前記第１の指定ファイルシステムおよび前記第２の指定ファイルシステムの少なくとも１つは、クラスタ化ファイルシステムを含む、請求項１４乃至２３のいずれか１項に記載のシステム。
【請求項２５】
前記第１の仮想ディスクの前記第１の表現を自動マウントすることによって前記第１の仮想ディスクへのアクセスを提供することを含む、請求項１４乃至２４のいずれか１項に記載のシステム。